(57)【要約】【課題】  設計自由度の高いクリック機能付きの回転型電子部品を提供する。【解決手段】  ハウジング１と、ハウジング１に回転可能に保持され外周側面部に複数の凹凸状のカム部１２ｄを有する回転体１２と、回転体１２に金属板が埋設され下面側に該金属板の一部を表出して設けられたコードパターン１３と、コードパターン１３に対向してハウジング１に配設され、コードパターン１３に摺接して信号を出力する摺動子２と、ハウジング１に配設され、回転体１２の回転時にカム部１２ｄと当接してクリック感触を生起させるクリック部材４とを備え、回転体１２の外周側面部に囲まれた内側の面内に上下に貫通する複数の貫通孔１２ｅを設け、貫通孔１２ｅ内に金属板の外郭を構成する枠体２１からの切断部１３ａを露出させて設けた。【選択図】        図７
2007173106.tif 000002
【特許請求の範囲】
【請求項１】
ハウジングと、このハウジングに回転可能に保持され外周側面部に複数の凹凸状のカム部を有する回転体と、この回転体に金属板が埋設され一面側に該金属板の一部を表出して設けられたコードパターンと、前記コードパターンに摺接して信号を出力する摺動子と、前記回転体の回転時に前記カム部と当接してクリック感触を生起させるクリック部材とを備え、前記回転体の外周側面部に囲まれた内側の面内に上下に貫通する複数の貫通孔を設け、この貫通孔内に前記金属板の切断部を露出させて設けたことを特徴とする回転型電子部品。
【請求項２】
前記切断部を前記貫通孔の内周面と面一となるように形成し、前記貫通孔の前記切断部の位置とは対向する前記回転体の前記面内には、前記貫通孔と前記外周側面部とに連通する凹溝部を設けたことを特徴とする請求項１記載の回転型電子部品。
【請求項３】
前記貫通孔の形成位置を除いた前記回転体の下面側には、前記ハウジングの底面に当接して回転時の傾きを防止する複数の突壁部を設けたことを特徴とする請求項１、又は２記載の回転型電子部品。
【請求項４】
枠体と、この枠体に繋ぎ桟部を介して連結されたコードパターンとを有する金属板と、この金属板が一体に埋設され一面側に前記コードパターンが表出されると共に、外周側面部に複数の凹凸状のカム部を有する回転体であって、前記回転体の外周側面部に囲まれた内側の面内に上下に貫通する複数の貫通孔を設け、この貫通孔内に前記繋ぎ桟部の一部を露出させて該貫通孔内で切断可能に設けると共に、前記繋ぎ桟部が前記貫通孔での切断後に前記回転体の内側の面内から分離可能なようにその一面側を露出させて形成したことを特徴とする回転型電子部品用回転体。
【発明の詳細な説明】
【技術分野】
【０００１】
本発明は、クリック用カム部を外周側面部に設けた回転体にコード板を一体成形したクリック機能付き回転型電子部品及び回転型電子部品用回転体の構造に関する。
【背景技術】
【０００２】
従来のクリック機能付き回転型電子部品の構造としては、摺接パターンを設けた回転体の下側に、摺動子を固定した摺動子固定板を配置し、また両者間にクリック機構を取り付け、前記回転体を回転することで前記摺接パターンに前記摺動子を摺接し、その際にクリック感覚を生じさせる構造のものが知られている（例えば、特許文献１参照）。
【０００３】
この従来の回転型電子部品の構造を図１０、図１１に示す。図１０は従来の回転型電子部品の分解斜視図、図１１は回転体の製造方法を示す図である。
【０００４】
図に示すように回転型電子部品１００は、上ケース９０内に回転体３０を回転自在に収納し、該回転体３０の下側に摺動子固定板５０を取り付け、さらにその下側に底板８０を取り付けて構成されている。
上ケース９０は、下面が開放された箱型のケース本体９１の中央に円筒状の貫通孔９３を設け、その外周側面から上面にわたって４つの係止用凹溝９５を設けて構成されている。回転体３０は、略円形の回転板３１の下面に可動接点パターン３３を設けて構成されている。
【０００５】
ここで回転板３１は合成樹脂を一体に成型して構成されており、その上面中央には円柱状の軸３２を設け、またその外周側面全体には多数の凹凸からなるクリック係合部３５を設けている。またその下面中央からは突起（図示せず）が突出している。一方可動接点パターン３３は薄い金属板製であり、中央に設けたリング状のコモンパターンとコモンパターンの外周から放射状に突出するオンオフパターンとを具備して構成されている。
【０００６】
図１１は回転体３０の製造方法を示し、同図（ａ）に示すようにまず、金属板をプレス加工することによって枠体４３中に可動接点パターン３３を形成する。
次に同図（ｂ）に一点鎖線で示すように、該可動接点パターン３３の面を露出した状態で、その周囲に回転板３１を成型し、両者を一体に固定する。
そして該回転板３１の周囲に設けた連結部材４５を切断すれば、回転体３０が完成する。
【０００７】
摺動子固定板５０は、合成樹脂製の板体５１の内部に、３本の摺動子５３（５３−１，５３−２，５３−３）と３本の端子５５とクリック板５７のそれぞれの一部をインサート成型して製造されている。ここで板体５１は略四角形状に構成され、その内部に３つの矩形状の孔５９，６１，６３と１つの円形の孔６４を設け、またその外周側面に４つの溝６５を形成して構成されている。
次に各摺動子５３はそれらの摺動接点５３１を板体５１の孔５９，６１内の側面から突出し、且つ斜め上方向に折り曲げて構成されている。各端子５５は板体５１の外周側面から突出して下方向に折り曲げられて構成されている。なおこれら３本の端子５５は、それぞれ前記３本の摺動子５３に連結されている。
【０００８】
クリック板５７は板体５１の孔６３内の側面から突出するようにその両端部が板体５１内にインサート成形されており、且つ該クリック板５７のクリック用突起部７３の部分が略垂直上方に折り曲げられている。
次に、底板８０は矩形状の金属板の外周から４本の係止片８１と２本の係止爪８３を突出し、係止片８１は上方向に直角に折り曲げ、係止爪８３は下方向に直角に折り曲げて構成されている。
【０００９】
そしてこの回転型電子部品１００を組み立てるには、まず底板８０上に摺動子固定板５０を載置する。このとき各係止片８１をそれぞれ溝６５内に係合する。
次にこの摺動子固定板５０の上に回転体３０を載置する。このとき回転体３０の突起を摺動子固定板５０の孔６４内に回動自在に挿入し軸支させる。
またこのとき、各摺動子５３の摺動接点５３１は、回転体３０下面の可動接点パターン３３に弾接し、一方クリック板５７のクリック用突起部７３は回転体３０側面のクリック係合部３５に弾接している。
【００１０】
そして回転体３０の上から上ケース９０を被せ、その貫通孔９３に回転体３０の軸３２を挿入する。そしてその係止用凹溝９５に前記底板８０の各係止片８１を挿入してその上部を上ケース９０の上面で折り曲げれば、回転型電子部品１００が完成する。そして軸３２を回動すれば、各摺動子５３の摺動接点５３１が可動接点パターン３３に摺接し、そのオンオフ出力が各端子５５に取り出せる。
このとき、クリック板５７のクリック用突起部７３は回転体３０側面のクリック係合部３５に弾接しているので、その凹凸への係合離脱を繰り返しその度にクリック感覚を生じる。
【００１１】
【特許文献１】特開平８−２７９３１７号公報
【発明の開示】
【発明が解決しようとする課題】
【００１２】
しかしながら、上述した従来の回転型電子部品においては、回転板の外周側面に可動接点パターンとの連結部材の切断部が突出するため、この突出部を避けてクリック機能部材である回転板のクリック係合部とクリック板のクリック用突起部を設ける必要があり、これら部品同士の配置や大きさが制限されるという問題があった。
【００１３】
従って、本発明は上記した問題点を解決し、設計自由度の高いクリック機能付きの回転型電子部品を提供することを目的とする。
【課題を解決するための手段】
【００１４】
上記課題を解決するために本発明の回転型電子部品では第１の解決手段として、ハウジングと、このハウジングに回転可能に保持され外周側面部に複数の凹凸状のカム部を有する回転体と、この回転体に金属板が埋設され一面側に該金属板の一部を表出して設けられたコードパターンと、前記コードパターンに摺接して信号を出力する摺動子と、前記回転体の回転時に前記カム部と当接してクリック感触を生起させるクリック部材とを備え、前記回転体の外周側面部に囲まれた内側の面内に上下に貫通する複数の貫通孔を設け、この貫通孔内に前記金属板の切断部を露出させて設けた構成とした。
【００１５】
また、第２の解決手段として、前記枠体からの切断部を前記貫通孔の内周面と面一となるように形成し、前記貫通孔の前記切断部の位置とは対向する前記回転体の前記面内には、前記貫通孔と前記外周側面部とに連通する凹溝部を設けた構成とした。
また、第３の解決手段として、前記貫通孔の形成位置を除いた前記回転体の下面側には、前記ハウジングの底面に当接して回転時の傾きを防止する複数の突壁部を設けた構成とした。
また、第４の解決手段として、本発明の回転型電子部品用回転体は、枠体と、この枠体に繋ぎ桟部を介して連結されたコードパターンとを有する金属板と、この金属板が一体に埋設され一面側に前記コードパターンが表出されると共に、外周側面部に複数の凹凸状のカム部を有する回転体であって、前記回転体の外周側面部に囲まれた内側の面内に上下に貫通する複数の貫通孔を設け、この貫通孔内に前記繋ぎ桟部の一部を露出させて該貫通孔内で切断可能に設けると共に、前記繋ぎ桟部が前記貫通孔での切断後に前記回転体の内側の面内から分離可能なようにその一面側を露出させて形成した構成とした。
【発明の効果】
【００１６】
上述したように、本発明の回転型電子部品は、ハウジングと、ハウジングに回転可能に保持され外周側面部に複数の凹凸状のカム部を有する回転体と、回転体に金属板が埋設され一面側に該金属板の一部を表出して設けられたコードパターンと、コードパターンに摺接して信号を出力する摺動子と、回転体の回転時にカム部と当接してクリック感触を生起させるクリック部材とを備え、回転体の外周側面部に囲まれた内側の面内に上下に貫通する複数の貫通孔を設け、貫通孔内に金属板の切断部を露出させて設けたことから、貫通孔を利用して金属板の外郭を構成する枠体から切断し分離することができる。そのため、この切断部が回転体の外周側面部より外側へ突出することがなく、クリック用の凹凸状のカム部を切断部の位置する外周側面部にも形成できるので、設計自由度の高いクリック機能付きの回転型電子部品を提供できる。
【００１７】
また、切断部を前記貫通孔の内周面と面一となるように形成し、貫通孔の切断部の位置とは対向する回転体の面内には、貫通孔と外周側面部とに連通する凹溝部を設けたことから、この凹溝内に枠体との繋ぎ桟部を収容することができ、金属板を回転体にインサート成形によって一体化するための金型構造を簡単に形成することができ、生産性の向上、廉価対応が図れる。
また、貫通孔の形成位置を除いた回転体の下面側には、ハウジングの底面に当接して回転時の傾きを防止する複数の突壁部を設けたことから、回転体の回転時の傾きを防止することができ、接点部の摺動が安定し接触信頼性が向上する。
また、本発明の回転型電子部品用回転体は、枠体と、枠体に繋ぎ桟部を介して連結されたコードパターンとを有する金属板と、金属板が一体に埋設され一面側にコードパターンが表出されると共に、外周側面部に複数の凹凸状のカム部を有する回転体であって、回転体の外周側面部に囲まれた内側の面内に上下に貫通する複数の貫通孔を設け、貫通孔内に繋ぎ桟部の一部を露出させて該貫通孔内で切断可能に設けると共に、繋ぎ桟部が貫通孔での切断後に回転体の内側の面内から分離可能なようにその一面側を露出させて形成したことから、繋ぎ桟部を介して金属板の枠体と連結された回転体を、外周側面部に囲まれた内側の面内に形成した貫通孔で繋ぎ桟部を切断することにより、枠体と分離できるので、繋ぎ桟部が回転体の外周側面部から突出することがなく、設計自由度の高いクリック機能部品が得られる。
【発明を実施するための最良の形態】
【００１８】
以下、本発明の実施の形態を図１乃至図９に示す。図１は本発明の回転型電子部品を示す分解斜視図、図２は本発明の回転型電子部品を示す平面図、図３は図２の３−３線における断面図、図４は図２の４−４線における断面図、図５は本発明の回転型電子部品の操作部材とガイド部材を除いた状態を示す平面図、図６は本発明の回転型電子部品のクリック機能部を示す要部断面図、図７は本発明の回転型電子部品の回転体を示す底面図、図８は本発明の回転型電子部品の回転体の貫通孔を示す要部斜視図、図９は本発明の回転型電子部品のフープ状態の回転体を示す底面図である。
【００１９】
図において、ハウジング１は、合成樹脂等の絶縁材からなり、略方形状に形成されている。このハウジング１には、上面が開口された大径で略円形からなる第１の収納部１ａが設けられており、さらに中央には、環状の突条部１ｃで囲まれた小径で円形からなる第２の収納部１ｂが設けられている。また、第１の収納部１ａの内底面には、略同心円上に複数（本実施例では３個）の矩形状の切溝１ｄが設けられており、この切溝１ｄには、弾性を有する導電性の薄板金属板からなる摺動子２が接点部２ａを第１の収納部１ａ内に突出した状態で配設されている。
【００２０】
前記摺動子２は、ハウジング１の内底部にインサート成形等の方法で一体に埋設されており、自由端側の接点部２ａが弾性を有した状態で切溝１ｄ内に配設されており、その他端側は、ハウジング１の一対の側面部から外方へ導出されて外部の回路パターンと接続される複数の接続端子２ｂを形成している。この摺動子２が回転検出スイッチの一部を構成している。
【００２１】
また、第２の収納部１ｂの内底面には、環状の突条部１ｃの内側で対向する位置に突出した一対の段部１ｅが形成されており、また、この段部１ｅと直交する方向の一端側には、ハウジングの底面側に貫通する貫通孔１ｆが設けられている。また、第２の収納部１ｂの中央には、導電性の金属板からなる中央固定接点３ａと、この中央固定接点３ａと一定の隙間を有して離間して設けられた周辺固定接点３ｂとからなる固定接点３が第２の収納部１ｂ内に表出した状態で配設されている。
【００２２】
前記固定接点３は、同じくハウジング１の内底部にインサート成形等の方法で一体に埋設されており、一端側の接点部である中央固定接点３ａと周辺固定接点３ｂが第２の収納部１ｂ内に表出して配設されており、その他端側は、ハウジング１の底面側に設けられた開口部１ｇから外方へ導出されて外部の回路パターンと接続される一対の外部端子３ｃ、３ｄを形成している。この中央固定接点３ａと周辺固定接点３ｂとがプッシュ検出スイッチの一部を構成している。
【００２３】
また、前記ハウジング１の上面側の四角部のうち、対向する一対の角部には、前記第１の収納部１ａに連通する凹溝からなる、ばね収納部１ｈが設けられている。このばね収納部１ｈに、後述する回転板１２のカム部１２ｄと摺動することによりクリックを生起させる、弾性を有する金属板からなるクリックばね４が収納されている。
【００２４】
前記第２の収納部１ｂには、前記中央固定接点３ａと周辺固定接点３ｂの上面側に可動接点５が配設されている。この可動接点５は、弾性を有する導電性の薄板金属板からなり、中央に反転可能なドーム状の膨出部が設けられている。本実施例では、この可動接点５を２枚重ねることにより、反転時のクリック感触が良好（重厚）となるように構成している。この可動接点５は、外周縁部が周辺固定接点３ｂに接触した状態で載置され、膨出部下面が中央固定接点３ａと離間した状態で対向して配置されている。また、可動接点５の上面側には、フィルム状の樹脂シートからなる保護シート６が設けられている。
【００２５】
また、第２の収納部１ｂには、可動接点５を押圧駆動する駆動部材７と、ＬＥＤ等の発光部材９が取り付けられた配線部材８が収容されており、配線部材８の上面側には、駆動部材７と配線部材８を保持及びガイドするガイド部材１０が設けられている。駆動部材７は、合成樹脂等の絶縁材からなり、円形をしており、上面側には配線部材８の発光部材９の取付部を収納する収納凹部７ａを有し、この収納凹部７ａの両側に一対の突条部７ｂが形成されている。また、下面側には、前記保護シート６を介して可動接点５の膨出部頂部と当接する駆動突起７ｃが設けられている。
【００２６】
配線部材８は、可撓性を有するフィルム状のポリイミド樹脂等からなるＦＰＣ（フレキシブル回路基板）で、円環状の桟部８ａと、その中央に橋状に架け渡された発光部材９の取付部８ｂと、桟部８ａの一側部から延設されたリード片部８ｃとを有している。また、円環状の桟部８ａには取付部８ｂとの連結部近傍に段差部８ｄが設けられており、この段差部８ｄを設けることにより、桟部８ａと取付部８ｂとが段差を有する階段状に形成されている。そして、この階段状の上段部である取付部８ｂに前記発光部材９が保持されると共に、下段部に高さの異なる他の電気部品９ａ（例えば、ＬＥＤよりも高さの大きいＬＥＤ保護用のバリスタ等）が保持されている。
【００２７】
このように、前記配線部材８は、可撓性を有するフレキシブル回路基板からなり、この配線部材８を段差を有する階段状に形成して、階段状の上段部に前記発光部材９を保持すると共に、下段部に高さの異なる他の電気部品（バリスタ等）を保持するようにしたので、発光部材９を後述する操作部材１５の押圧部材の下面に近づけることができるので、効率良く照光できると共に、段差を利用して配線部材８上に自由に電気部品を搭載でき、設計の自由度が向上するものとなっている。
【００２８】
前記配線部材８は、リード片部８ｃが前記第２の収納部１ｂの内底面に設けられた貫通孔１ｆに挿通されると共に、取付部８ｂが前記駆動部材７の収納凹部７ａに収納された状態で第２の収納部１ｂ内の一対の段部１ｅ上に載置されている。そして、この配線部材８の上面側に、ガイド部材１０が装着されることにより第２の収納部１ｂに保持されている。また、リード片部８ｃの自由端側が、ハウジング１の底面部を介してハウジング１の一側面部から外方へ延設されており、外部との接続リード部８ｅを形成している。また、ハウジング１の底面部には、リード片部８ｃを覆うように樹脂シート等からなる粘着性のカバーシート１１が貼着されている。
【００２９】
ガイド部材１０は、合成樹脂等の絶縁材からなり、円形の挿通孔１０ｂを有する円環状の基部１０ａと、この基部１０ａの下方に延設された複数のフック脚１０ｃとを有している。このガイド部材１０は、前記第２の収納部１ｂ内に収納され、前記フック脚１０ｃが内底面に設けられた複数の係合部（図示せず）に係合されて保持されている。この時、円環状の基部１０ａの下面側と第２の収納部１ｂの段部１ｅとの間に前記配線部材８が挟持されて保持されると共に、円形の挿通孔１０ｂ内に前記駆動部材７が昇降可能にガイドされて保持されている。
【００３０】
そして、駆動部材７が挿通孔１０ｂ内を昇降移動することにより駆動突起７ｃが可動接点５の膨出部を押圧して反転させることで中央固定接点３ａと周辺固定接点３ｂからなる固定接点３と接離させるものとなっている。そして、この可動接点５と固定接点３により、後述する操作部材１５中央に設けられた押圧部材の昇降を検出する第２の入力部であるプッシュ検出スイッチを構成している。
【００３１】
また、前記第１の収納部１ａには、回転体を構成する円板状の回転板１２が回転可能に収納されている。この回転板１２は、合成樹脂等の絶縁材で円板状に形成され、基板部１２ａの中央には大径で円状の軸孔１２ｂが設けられている。また、基板部１２ａの上面には、上方へ突出した複数の係合突起１２ｃが設けられており、また、基板部１２ａの外周側面部には、環状に連続した複数の凹凸状のカム部１２ｄが設けられている。また、基板部１２ａには、導電性の金属板がインサート成形等の方法で一体に埋設されており、この金属板の一部がその下面側に表出され同心円上に並設された複数のコードパターン１３が形成されている。
【００３２】
また、前記基板部１２ａには、前記カム部１２ｄが設けられた外周側面部に囲まれた内側の面内に、基板部１２ａの上下（表裏）面にわたって貫通する複数の円形状の貫通孔１２ｅが設けられており、この貫通孔１２ｅ内には、前記コードパターン１３から延出された金属板の一部である切断部１３ａが露出して配設されている（図７、図８参照）。
【００３３】
この切断部１３ａは、前記回転板１２に、金属板からなる前記コードパターン１３をインサート成形して一体に埋設する際に、後述するフープ状の金属板の外郭を構成する枠体２１との繋ぎ桟部２１ａを前記貫通孔１２ｅ内で切断した時の残りの部分である。尚、この場合、前記枠体２１との繋ぎ桟部２１ａからの切断部１３ａを、前記貫通孔１２ｅの内周面に沿わせて、面一となるように切断して形成するようにしても良い。
【００３４】
また、前記基板部１２ａの下面側には、前記貫通孔１２ｅ内に位置する前記切断部１３ａの露出（突出）位置とは対向する側の基板部１２ａの面内に、前記貫通孔１２ｅと前記カム部１２ｄが設けられた外周側面部とに連通する細長状の凹溝部１２ｆが設けられている。この凹溝部１２ｆは、基板部１２ａの下面（底面）側に開放された凹状に形成されており、この凹溝部１２ｆ内に前記枠体２１との繋ぎ桟部２１ａが、その一面側を露出した状態で収容されるものとなっている。
【００３５】
また、前記貫通孔１２ｅと前記凹溝部１２ｆとの形成位置を除いた前記基板部１２ａの下面側には、前記コードパターン１３の外周に沿って周方向に円弧状からなる複数の突壁部１２ｇが形成されている。尚、本実施例では、この突壁部１２ｇは、コードパターン１３の外周に二重に設けられているが、少なくとも最外径部に一重だけ設けるようにすれば良い。この突壁部１２ｇを設けることにより、前記回転体１２が回転する際に、該突壁部１２ｇがハウジング１の内底面に当接して回転体１２の回転時の傾きを防止することができ、コードパターン１３と摺動子２の接点部２ａとの摺動が安定することにより接触信頼性が向上するものとなる。
【００３６】
図９は、フープ状の金属板の外郭を構成する枠体２１と、繋ぎ桟部２１ａで連結された状態の回転体１２を示している。図に示すように、本実施例では、回転体１２はフープ状の金属板の外郭を構成する枠体２１と繋ぎ桟部２１ａを介して連結された状態で、インサート成形等の方法により金属板からなるコードパターン１３が埋設されて一体に形成されている。
【００３７】
この場合、前記コードパターン１３と前記枠体２１とは細長状の前記繋ぎ桟部２１ａを介して連結されており、この繋ぎ桟部２１ａが、前記回転体１２の前記基板部１２ａに設けられた前記貫通孔１２ｅ内に露出されると共に、この貫通孔１２ｅとカム部１２ｄが設けられた外周側面部とに連通する細長状の凹溝部１２ｆ内に、その一面側を露出した状態で収容されている（図７参照）。
【００３８】
そして、この状態から、前記回転体１２と前記枠体２１とを分離する場合には、前記基板部１２ａの貫通孔１２ａ内において、露出している前記繋ぎ桟部２１ａを、図示しない切断治具等によって切断すると共に、切断された繋ぎ桟部２１ａを、一面側を露出して収容された凹溝部１２ｆから取り外すことにより、回転体１２が分離可能になっている。
【００３９】
ここで、この繋ぎ桟部２１aは切断後に回転体１２から分離可能なように一面が樹脂面から露出するように一体化されていれば良いが、上記のように前記貫通孔１２ａ内の繋ぎ桟部２１ａとの切断部１３ａの位置とは対向する前記回転体１２の面内に、該貫通孔１２ａと外周側面部とに連通して前記枠体２１との繋ぎ桟部２１ａを収容する前記凹溝部１２ｆを設けるようにしたので、繋ぎ桟部２１ａの取り外しが容易に行え、周囲の樹脂面と繋ぎ桟部２１aの露出面とが面一になるように金型を形成でき、金属板を回転体１２にインサート成形によって一体に埋設するための金型構造を簡単に形成することができ、生産性の向上、廉価対応が図れるものとなる。
また、繋ぎ桟部２１aの露出した面上に成形樹脂がまわり込む樹脂かぶりを防止でき、繋ぎ桟部２１aの取り外し時に樹脂かぶりによって生じたバリが接点面や摺動面に付着することがなく、信頼性の向上が可能となる。
【００４０】
また、この時、回転体１２の繋ぎ桟部２１ａとの切断部１３ａは、基板部１２ａの貫通孔１２ｅ内に露出（突出）した状態で残されるため、切断部１３ａがクリック用の凹凸状の前記カム部１２ｄが設けられた外周側面部から突出することがないものとなる（図６、図７参照）。このため、クリック用のカム部１２ｄを、回転体１２の外周側面部に自由に形成することができるため、設計自由度が広がり、簡単な構造で生産性の良いクリック機能部品が得られるものとなる。
【００４１】
前記回転板１２は、前記第１の収納部１ａの中央に設けられた環状の突条部１ｃに軸孔１２ｂが挿通されて、この突条部１ｃを軸として回転可能に収納されると共に、基板部１２ａの外周側面部に設けられた凹凸状のカム部１２ｄが、ハウジング１のばね収納部１ｈに収納されたクリックばね４の駆動子４ａと摺動して回転する際のクリック感触が得られるものとなっている。また、これと同時に回転板１２の下面側に表出して設けられた複数のコードパターン１３が、前記第１の収納部１ａの内底面に同心円上に突出して配設された複数の前記摺動子２の接点部２ａと摺接するものとなっている。そして、この回転板１２のコードパターン１３と摺動子２により、後述する操作部材１５の回転移動操作を検出する第１の入力部である回転検出スイッチを構成している。
【００４２】
フレーム板１４は、方形状の金属平板からなり、中央には大径で円状の挿通孔１４ａが設けられている。また四辺部には、下方へ延出する取付片１４ｂが設けられている。このフレーム板１４は、前記ハウジング１の第１の収納部１ａ内に前記回転板１２を回転可能に収納した状態でハウジング１の上面側に載置され、前記取付片１４ｂの先端を前記ハウジング１の底面側に折り曲げることにより前記ハウジング１の上面側に取り付けられている。この時、フレーム板１４の挿通孔１４ａからは、前記回転板１２の係合突起１２ｃが突出した状態で配設されている。
【００４３】
操作部材１５は、前記回転板１２の係合突起１２ｃに係合され、フレーム１４の挿通孔１４ａに挿通されてハウジング１の上面側に回転及び昇降可能に配設されている。この操作部材１５は、基台部を構成する円盤状の第１つまみ１６と、この第１つまみ１６の上面側に貼着される円環状の第２つまみ１７と、この第２つまみ１７の中央に昇降可能に配置される第３つまみ１８とから一体的に構成されている。
【００４４】
前記第１つまみ１６は、２種類の合成樹脂からなる成形材料を一体に２色成形して形成されている。すなわち、円環状の基部１６ａと、この基部１６ａの中央に基部１６ａとは離間して配置された可動部１６ｂとが、導光性を有する第１の合成樹脂（例えば、ポリカーボネイト樹脂等）で形成され、この基部１６ａと可動部１６ｂとが、可撓性を有する第２の合成樹脂（例えば、ハイトレル樹脂等）で形成された中間部１６ｃで連結されて一体に成形されている。そして、可動部１６ｂは、中間部１６ｃが有する可撓性により、基部１６ａの中央で上下に移動可能となっている。また、前記第２の合成樹脂は非導光性であり、中間部１６ｃは基部１６ａの上面及び側面を覆うように一体成形されている。
【００４５】
また、第１つまみ１６の基部１６ａには、前記回転板１２の係合突起１２ｃと係合する複数の係合孔１６ｄが形成されている。そして、この係合孔１６ｄにより第１つまみ１６が回転板１２に係合されることにより、前記操作部材１５の回転操作に伴って回転板１２が共に回転するものとなっている。
また、第１つまみ１６の可動部１６ｂの下面には、上方に向かって先細状の凹状に窪んだ傾斜面１６ｅが設けられている。この傾斜面１６ｅを設けることにより、前記発光部材９からの光を押圧部材を構成する第３つまみ１８の操作面に向けて乱反射させるようになっている。
【００４６】
前記第２つまみ１７は、同じく導光性の合成樹脂で平板状の円環状に形成されており、中央には円状の挿通孔１７ａを有している。そして、この挿通孔１７ａに、前記第１つまみ１６の可動部１６ｂを臨む状態で、第１つまみ１６の中間部１６ｃの上面側に粘着シート１９によって貼着されて一体化されている。
【００４７】
前記第３つまみ１８は、同じく導光性の合成樹脂からなり、中央がやや上方に膨出した円形状の押圧部１８ａと、この押圧部１８ａの下面側に設けられた鍔部１８ｂとを有している。この第３つまみ１８は、押圧部１８ａが前記第２つまみ１７の挿通孔１７ａに挿入されて鍔部１８ｂが第２つまみ１７の下面側に係止された状態で、前記第１つまみ１６の可動部１６ｂ上面側に粘着シート２０によって貼着されて一体化されている。尚、この場合には、粘着シート２０は導光性のシート材で形成されており、発光部材９からの光を、第１つまみ１６の可動部１６ｂを介して第３つまみ１８の押圧部１８ａ表面に導くようになっている。
【００４８】
そして、前記第３つまみ１８は、前記第１つまみ１６の可動部１６ｂと共に上下に移動可能となっており、前記第２つまみ１７の挿通孔１７ａ内を上下に移動（昇降）可能であり、この第１つまみ１６の可動部１６ｂと、第３つまみ１８とにより、操作部材１５の中央に昇降操作可能となる押圧部材が構成されている。
【００４９】
この操作部材１５は、前記回転板１２の係合突起１２ｃに係合され、フレーム１４の挿通孔１４ａに挿通されてハウジング１の上面側に回転及び昇降可能に配設されるものとなっており、また、この時、中央に設けられた押圧部材である第３つまみ１８及び第１つまみ１６の可動部１６ｂの下方には、前記ハウジング１の第２収納部１ｂに配設された前記駆動部材７が配置されている。
そして、この駆動部材７の発光部材９が収納された収納凹部７ａの両側の一対の突条部７ｂの上面と、第１つまみ１６の可動部１６ｂの下面とが当接した状態となっており、押圧部材を構成する第３つまみ１８の押圧部１８ａが押圧操作されることにより、前記可動部１６ｂが駆動部材７を押圧し、駆動突起７ｃが下面側に配設された可動接点５を押圧して反転させるものとなっている。
【００５０】
上記実施例では、前記ハウジング１に、前記駆動部材７の昇降をガイドする前記ガイド部材１０を設け、このガイド部材１０に前記発光部材９が取り付けられた前記配線部材８を支持させると共に、前記駆動部材７に、前記配線部材８の発光部材９の取付部８ｂを収納する収納凹部７ａを設け、この収納凹部７ａの両側に一対の突条部７ｂを形成して、この一対の突条部７ｂの上面に前記第１つまみ１６の可動部１６ｂの下面との当接面を形成したので、押圧部材の下面との当接面を前記配線部材８の発光部材９の取付部８ｂを収納する前記収納凹部７ａの両側の突条部７ｂの上面に形成したため、操作部材１５の回転移動操作時や押圧部材の押圧操作時に、前記配線部材８にストレスが加わることがなく、高い信頼性が得られるものとなっている。
【００５１】
また、この時、第１つまみ１６の可動部１６ｂの下面に設けられた前記傾斜面１６ｅと、駆動部材７の収納凹部７ａに収納された発光部材９とが対向した状態で配置されており、発光部材９から照射された光を、この傾斜面で乱反射させることにより、可動部１６ｂを介して第３つまみ１８の押圧部１８ａ表面の操作面を明るく均一に照光させることができるものとなっている。
また、押圧部材は、駆動部材７と当接する当接面を含む全体が導光性を有する材料から形成されていることから、発光部材９からの光を効率良く取り込んで操作面に入射させることができるものとなっている。
【００５２】
上記した本発明の実施例によれば、ハウジング１に回転可能に保持され外周側面部に複数の凹凸状のカム部１２ｄを有する回転体１２と、この回転体１２に埋設され一面側に表出して設けられたコードパターン１３と、該コードパターン１３に摺接して信号を出力する摺動子２と、前記回転体１２の回転時に前記カム部１２ｄと当接してクリック感触を生起させるクリック部材４とを有し、前記回転体１２の外周側面部に囲まれた内側の面内に上下に貫通する複数の貫通孔１２ｅを設け、該貫通孔１２ｅ内に前記コードパターン１３と連結する金属板の切断部１３ａを露出させて設けたことから、この金属板の露出部を貫通孔１３ｅを利用して金属板の外郭を構成する枠体２１から切断し分離することができるものとなる。
そのため、この切断部１３ａが回転体１２の外周側面部より外側へ突出することがなく、クリック用の凹凸状のカム部１２ｄを切断部１３ａの位置する外周側面部にも形成できるので、設計自由度の高いクリック機能付きの回転型電子部品を提供できるものとなっている。
尚、上記した本発明の実施例によれば、回転型電子部品を収納凹部を有するハウジング内に収容したもので説明したが、平板状の回路基板をハウジングとして構成しても良く、摺動子やクリック部材をハウジングとは別体の保持部材に設けても良い。また、回転体に摺動子を設け、ハウジング側にコードパターンを設けるようにしても良い。
【図面の簡単な説明】
【００５３】
【図１】本発明の回転型電子部品を示す分解斜視図である。
【図２】本発明の回転型電子部品を示す平面図である。
【図３】本発明の図２の３−３線における断面図である。
【図４】本発明の図２の４−４線における断面図である。
【図５】本発明の回転型電子部品の操作部材とガイド部材を除いた状態を示す平面図である。
【図６】本発明の回転型電子部品のクリック機能部を示す要部断面図である。
【図７】本発明の回転型電子部品の回転体を示す底面図である。
【図８】本発明の回転型電子部品の回転体の貫通孔を示す要部斜視図である。
【図９】本発明の回転型電子部品のフープ状態の回転体を示す底面図である。
【図１０】従来の回転型電子部品を示す分解斜視図である。
【図１１】従来の回転型電子部品の回転体の製造方法を示す図である。
【符号の説明】
【００５４】
１：ハウジング
１ａ：第１の収納部
１ｂ：第２の収納部
１ｃ：突条部
１ｄ：切溝
１ｅ：段部
１ｆ：貫通孔
１ｇ：開口部
１ｈ：ばね収納部
２：摺動子（第１の入力部）
２ａ：接点部
２ｂ：接続端子
３：固定接点（第２の入力部）
３ａ：中央固定接点
３ｂ：周辺固定接点
３ｃ：外部端子
３ｄ：外部端子
４：クリックばね（クリック部材）
４ａ：駆動子
５：可動接点（第２の入力部）
６：保護シート
７：駆動部材
７ａ：納入凹部
７ｂ：突条部
７ｃ：駆動突起
８：配線部材
８ａ：桟部
８ｂ：取付部
８ｃ：リード片部
８ｄ：段差部
８ｅ：接続リード部
９：発光部材
１０：ガイド部材
１０ａ：基部
１０ｂ：挿通孔
１０ｃ：フック脚
１１：カバーシート
１２：回転板（回転体）
１２ａ：基板部
１２ｂ：軸孔
１２ｃ：係合突起
１２ｄ：カム部
１２ｅ：貫通孔
１２ｆ：凹溝部
１２ｇ：突壁部
１３：コードパターン（第１の入力部）
１３ａ：切断部
１４：フレーム板
１４ａ：挿通孔
１４ｂ：取付片
１５：操作部材
１６：第１つまみ
１６ａ：基部
１６ｂ：可動部（押圧部材）
１６ｃ：中間部
１６ｄ：係合孔
１６ｅ：傾斜面
１７：第２つまみ
１７ａ：挿通孔
１８：第３つまみ（押圧部材）
１８ａ：押圧部
１８ｂ：鍔部
１９：粘着シート
２０：粘着シート
２１：枠体
２１ａ：繋ぎ桟部
【図１】
2007173106.tif 000003
【図２】
2007173106.tif 000004
【図３】
2007173106.tif 000005
【図４】
2007173106.tif 000006
【図５】
2007173106.tif 000007
【図６】
2007173106.tif 000008
【図７】
2007173106.tif 000009
【図８】
2007173106.tif 000010
【図９】
2007173106.tif 000011
【図１０】
2007173106.tif 000012
【図１１】
2007173106.tif 000013